(57)【特許請求の範囲】
【請求項１】
雨や雪などの降水を貯める貯水槽に設けられる収納庫であって、前記貯水槽は家屋の地下に設置され、更に、前記貯水槽には該貯水槽内の水を利用する降水利用設備が設けられ、また、前記収納庫は前記貯水槽内の上部に設けられ、また、前記収納庫は貴重品を収納する貴重品収納ボックスであって、前記貯水槽内の上部に設けられるものであることを特徴とする家屋に設けられる収納庫。
【請求項２】
雨や雪などの降水を貯める貯水槽に設けられる収納庫であって、前記貯水槽は家屋の地下に設置され、更に、前記貯水槽には該貯水槽内の水を利用する降水利用設備が設けられ、また、前記収納庫は前記貯水槽内の上部に設けられ、また、前記収納庫は食料や飲料や日用雑貨などを収納する収納ボックスであって、前記貯水槽内の上部に設けられるものであることを特徴とする家屋に設けられる収納庫。
【請求項３】
請求項１，２いずれか１項に記載の収納庫において、前記貯水槽には降水回収部が設けられ、この降水回収部には回収された降水を浄化する浄化部が設けられていることを特徴とする収納庫。
【請求項４】
請求項１〜３いずれか１項に記載の収納庫において、前記降水利用設備として、屋根散水設備、洗車設備、洗濯設備若しくはトイレ設備が採用されていることを特徴とする収納庫。
【請求項５】
請求項１〜４いずれか１項に記載の収納庫において、前記降水利用設備で利用された利用水が前記降水回収部に導入されるように構成されていることを特徴とする収納庫。
【発明の詳細な説明】
【０００１】
【発明の属する技術分野】
本発明は、家屋に設けられる収納庫に関するものである。
【０００２】
【従来の技術及び発明が解決しようとする課題】
従来、一般家庭における金品や貴金属などの貴重品を収納する金庫は盗難に遭わないようにする為に種々の場所に隠蔽されるが、実際には金庫を保管するに最適とされる場所は無いのが現状であり、その為、金庫を持ち運び不能にするなどの工夫が施されているが、これが必要以上に金庫が大型となりコスト高となる原因となっている。
【０００３】
そこで、本出願人は、上述の問題点に着目し、従来に無い発想から貴重品を保管するスペースを設けることで盗難を可及的に防止することができ、そして、この貴重品の他にも、食料や飲料や生活用品などを収納する場所としても最適となる従来に無い画期的な家屋に設けられる収納庫を発明した。
【０００４】
【課題を解決するための手段】
添付図面を参照して本発明の要旨を説明する。
【０００５】
雨や雪などの降水を貯める貯水槽１に設けられる収納庫であって、前記貯水槽１は家屋の地下に設置され、更に、前記貯水槽１には該貯水槽１内の水を利用する降水利用設備２が設けられ、また、前記収納庫３は前記貯水槽１内の上部に設けられ、また、前記収納庫３は貴重品を収納する貴重品収納ボックスであって、前記貯水槽１内の上部に設けられるものであることを特徴とする家屋に設けられる収納庫に係るものである。
【０００６】
また、雨や雪などの降水を貯める貯水槽１に設けられる収納庫であって、前記貯水槽１は家屋の地下に設置され、更に、前記貯水槽１には該貯水槽１内の水を利用する降水利用設備２が設けられ、また、前記収納庫３は前記貯水槽１内の上部に設けられ、また、前記収納庫３は食料や飲料や日用雑貨などを収納する収納ボックスであって、前記貯水槽１内の上部に設けられるものであることを特徴とする家屋に設けられる収納庫に係るものである。
【０００７】
また、請求項１，２いずれか1項に記載の収納庫において、前記貯水槽１には降水回収部４が設けられ、この降水回収部４には回収された降水を浄化する浄化部５が設けられていることを特徴とする収納庫に係るものである。
【０００８】
また、請求項１〜３いずれか１項に記載の収納庫において、前記降水利用設備２として、屋根散水設備19、洗車設備20、洗濯設備21若しくはトイレ設備22が採用されていることを特徴とする収納庫に係るものである。
【０００９】
また、請求項１〜４いずれか１項に記載の収納庫において、前記降水利用設備２で利用された利用水が前記降水回収部４に導入されるように構成されていることを特徴とする収納庫に係るものである。
【００１０】
【発明の作用及び効果】
請求項１記載の発明は、雨や雪などの降水を貯水槽１で貯め、この水を降水利用設備２を介して例えば洗車用水や洗濯用水やトイレ用水や消雪水、ひいては非常用水（防火用水）などとしても利用することができ、更に、この貯水槽１内に設けられた収納庫３としての貴重品収納ボックスを金品や貴金属などの貴重品を収納するスペースとして使用することができる。
【００１１】
よって、請求項１記載の発明によれば、雨や雪などの降水を生活用水などの様々な場面において有効利用することができることになるから、個々の家庭において節水ができるなど非常に有意義なものとなり、しかも、この降水を貯める貯水槽１内に収納庫３としての貴重品収納ボックスを設けるという従来に無い発想からこの貴重品収納ボックスが貴重品を隠す保管場所として最適となるなど従来にない画期的な作用効果を発揮する収納庫となる。
【００１２】
また、請求項１記載の発明においては、貯水槽１の設置場所が従来の一般家庭においてあまり使われないスペースとされる地下とされていることにより、この貯水槽１が決して邪魔になることはなく良好な設置状態となり、しかも、水を地下に設置した貯水槽１に貯める構造であるから、まるで井戸のように貯留水が夏は冷たく冬は暖かくなり生活用水として最適な状態を維持することができ、そして、この貯水槽１内に設けられる収納庫（貴重品収納ボックス）３も一緒に地下に設置されることになるから、より一層盗難に遭いにくい保管場所となり且つ震災時の火事や家屋の倒壊に対する耐火性及び耐久性に極めて秀れた保管場所となる従来にない画期的な作用効果を発揮する収納庫となる。
【００１３】
また、請求項２記載の発明においては、食料や飲料や日用雑貨などの収納において従来にない場所であり良好に収納することができることになるなど従来にない画期的な作用効果を発揮する家屋に設けられる収納庫となる。
【００１４】
また、請求項３記載の発明においては、前記請求項１，２記載の発明の作用効果に加え、貯水槽１には降水回収部４が連設され、この降水回収部４には回収された降水を浄化する浄化部５が設けられているから、雨や雪などの降水を一般家庭において確実に生活用水に適した状態となるように衛生的に浄化して貯めておくことができることになるなど従来にない画期的な作用効果を発揮する収納庫となる。
【００１５】
また、請求項４記載の発明においては、前記請求項１〜３記載の発明の作用効果に加え、雨や雪などの降水を降水利用設備２としての屋根散水設備19、洗車設備20、洗濯設備21、トイレ設備22等で使用することができるなど従来にない画期的な作用効果を発揮する収納庫となる。
【００１６】
また、請求項５記載の発明においては、前記請求項１，２記載の発明の作用効果に加え、降水利用設備２で利用された利用水が降水回収部４に導入されるように構成されているから、降水利用設備２で利用された利用水を衛生的に且つ有効に再利用することができるなど従来にない画期的な作用効果を発揮する収納庫となる。
【００１７】
【発明の実施の形態】
図面は本発明の一実施例を図示したものであり、以下に説明する。
【００１８】
本実施例は、雨や雪などの降水を貯める貯水槽１と、この貯水槽１内の水を生活用水として利用せしめる降水利用設備２とを備えた一般家屋７に設けられるものであって、貯水槽１内に貴重品を収納する収納庫３としての貴重品収納ボックスを設けたものである。
【００１９】
以下、本実施例に係る構成各部について詳細な説明をする。
【００２０】
貯水槽１は、コンクリート製の水槽を複数設け、この複数の水槽を上下左右に連結して使用するプレキャスト組立式の水槽であり、貯水槽１の貯留量に合わせてその数を適宜増やしたり減らしたりすることになる。尚、貯水槽１はコンクリート製に限らず、金属製や樹脂製やＦＲＰ製など本実施例の特性を発揮し得る材質のものであれば適宜採用するものである。
【００２１】
具体的には、本実施例では、図１に図示したように一対の水槽12Ａ，12Ｂを階段下の地下に埋設し、この水槽12Ａ，12Ｂ同志は上方所定位置においてオーバーフローを介して連設されている（尚、貯水槽１の設置箇所としては階段下の他に、例えば物置下や玄関下や台所下などが考えられる。）。従って、貯水槽１へ送られた水は第一水槽12Ａに貯められ、この第一水槽12Ａに送られる水が所定量に達するとオーバーフローを介して第二水槽12Ｂに送られることになる。
【００２２】
また、この貯水槽１を構成する第一水槽12Ａ及び第二水槽12Ｂ夫々の上部には仕切りを介して所定容量の空間が形成されている。
【００２３】
この第一水槽12Ａに形成された空間は、金品や貴金属などの貴重品を収納する金庫としての貴重品収納ボックス３として構成され、第二水槽12Ｂに形成された空間には、第二水槽12Ｂ内に貯留された浄化水を組み上げる汲み上げポンプ13が設置されている。また、この貯水槽１に係る空間は、貴重品収納ボックス３の他にも、食料（野菜）や飲料（酒・ワイン）や日用雑貨などを収納する収納ボックス（貯蔵庫）として構成しても良い。
【００２４】
また、本実施例では、貯水槽１の上部に収納棚が設けられており、この収納棚は階段下に設置されて所謂物置として構成されている。
【００２５】
また、貯水槽１には降水回収部４が連設され、この降水回収部４には回収された降水を浄化する浄化部５が設けられている。
【００２６】
降水回収部４は、図１に図示したように家屋７の屋根８で受けた降水を集める雨樋９に回収パイプ10を接続し、この回収パイプ10を浄化部５まで配設して構成されている。
【００２７】
浄化部５は、図１に図示したように水を浄化するフィルター11を備えた浄水装置であり、この浄化部５で浄化された浄水は貯水槽１へ送られるように構成されている。
【００２８】
降水利用設備２は、図１に図示したように貯水槽１に設けた汲み上げポンプ13と、該汲み上げポンプ13に接続されるパイプ16とで構成されている。
【００２９】
具体的には、降水利用設備２は、屋根散水設備（冬場における屋根８の消雪設備及び夏場における屋根８の冷却設備）19、洗車設備20、洗濯設備21、トイレ設備22（その他駐車スペースの消雪設備など）として使用し得るように適宜パイプ16を家屋７に配設して構成されており、この降水利用設備２に係る屋根散水設備19で利用された利用水は雨や雪などの降水と同様に屋根８を伝って降水回収部４に導入されるように構成されている。
【００３０】
符号14は第二水槽12Ｂに水が所定量に達した際に水を排出するためのオーバーフロー、17はサーモヒーター、18は家庭用電源としても使用される降水利用設備２の電源となるソーラーパネルである。
【００３１】
本実施例は上述のように構成したから、雨や雪などの降水を貯水槽１で貯め、この水を降水利用設備２を介して例えば洗車用水や洗濯用水やトイレ用水や消雪水、ひいては非常用水（防火用水）などとしても利用することができ、更に、この貯水槽１内に設けられた収納庫３としての貴重品収納ボックスを金品や貴金属などの貴重品を収納するスペースとして使用することができる。
【００３２】
よって、本実施例によれば、雨や雪などの降水を生活用水などの様々な場面において有効利用することができることになるから、個々の家庭において節水ができるなど非常に有意義なものとなり、しかも、この降水を貯める貯水槽１内に収納庫３としての貴重品収納ボックスを設けるという従来に無い発想からこの貴重品収納ボックスが貴重品を隠す保管場所として最適となる。
【００３３】
また、本実施例は、貯水槽１の設置場所を従来の一般家庭においてあまり使われないスペースとされる地下とすることにより、この貯水槽１が決して邪魔になることはなく良好な設置状態となり、しかも、水を地下に設置した貯水槽１に貯める構造であるから、まるで井戸のように貯留水が夏は冷たく冬は暖かくなり生活用水として最適な状態を維持することができ、そして、この貯水槽１内に設けられる収納庫（貴重品収納ボックス）３も一緒に地下に設置されることになるから、より一層盗難に遭いにくい保管場所となり且つ震災時の火事や家屋の倒壊に対する耐火性及び耐久性に極めて秀れた保管場所となる。
【００３４】
また、本実施例は、貯水槽１には降水回収部４が連設され、この降水回収部４には回収された降水を浄化する浄化部５が設けられているから、雨や雪などの降水を一般家庭において確実に生活用水に適した状態となるように衛生的に浄化して貯めておくことができ非常に便利となる。
【００３５】
また、本実施例は、雨や雪などの降水を降水利用設備２としての屋根散水設備19、洗車設備20、洗濯設備21、トイレ設備22等で使用することができ非常に便利となる。
【００３６】
また、本実施例は、降水利用設備２で利用された利用水が降水回収部４に導入されるように構成されているから、降水利用設備２で利用された利用水を衛生的に且つ有効に再利用することができ非常に便利となる。
【００３７】
また、本実施例は、貯水槽１をプレキャスト組立式の水槽で構成したから、その製造及び施工が極めて簡易に行えるのは勿論、分割化による製品の軽量化が達成され、しかも、貯水槽１の貯水量に応じて各水槽を組み合わせて簡易にその大きさを可変することが可能となる。
【図面の簡単な説明】
【図１】  本実施例の使用状態説明図である。
【符号の説明】
１  貯水槽
２  降水利用設備
３  収納庫
４  降水回収部
５  浄化部
19  屋根散水設備
20  洗車設備
21  洗濯設備
22  トイレ設備
【図１】
0004528395.tif 000002